(57)【要約】【課題】  スキャナキャリッジを担持するスキャナユニットの筐体内部で自家発電させて発光部品の点灯・消灯を行わせることにより、スキャナユニットの独立性を高め、組み立て効率の向上及び暗黒始動時間遅れを解消することのできる画像読み取り装置を提供する。【解決手段】  露光用の希ガス蛍光管１２を有する画像読み取り装置において、スキャナキャリッジ２の移動に連動して発電される発電モータ５、発電モータ５の発電電力によって点灯されかつ希ガス蛍光管１２に光を照射する発光部品１１とを備えている。【選択図】  図１
2006220781.tif 000002
【特許請求の範囲】
【請求項１】
露光用の希ガス蛍光管を有する画像読み取り装置において、スキャナキャリッジの移動に連動して発電される発電モータと、該発電モータの発電電力によって点灯されかつ前記希ガス蛍光管に光を照射する発光部品とを備えた画像読み取り装置。
【請求項２】
前記発電モータと前記発光部品とを接続する接続回路の途中に、前記スキャナキャリッジの読み取り方向への移動中は前記発光部品への通電を阻止しかつ前記スキャナキャリッジの読み取り方向への移動に対して反対方向への移動中は前記発光部品への通電を許可するダイオードが設けられていることを特徴とする請求項１に記載の画像読み取り装置。
【請求項３】
前記発光部品がＬＥＤであることを特徴とする請求項１に記載の画像読み取り装置。
【請求項４】
前記スキャナキャリッジの待機位置を定めるホームポジションセンサを有し、該ホームポジションセンサを境にして前記希ガス蛍光管の発光開始位置が前記スキャナキャリッジの画像読み取り方向への移動側に存在し、前記発光部品が前記スキャナキャリッジの待機位置と発光開始位置との間に存在することを特徴とする請求項１に記載の画像読み取り装置。
【請求項５】
前記スキャナキャリッジの待機位置を定めるホームポジションセンサを有し、該ホームポジションセンサを境にして前記希ガス蛍光管の発光開始位置が前記スキャナキャリッジの画像読み取り方向への移動側とは反対方向の側に存在し、前記発光部品が前記希ガス蛍光管の発光開始位置と前記スキャナキャリッジの待機位置との間に存在することを特徴とする請求項１に記載の画像読み取り装置。
【発明の詳細な説明】
【技術分野】
【０００１】
本発明は、露光用の希ガス蛍光管を有する画像読み取り装置の改良に関する。
【背景技術】
【０００２】
従来から、画像読み取り装置には、露光用の希ガス蛍光管をスキャナユニットに内蔵したものが知られている。
【０００３】
この希ガス蛍光管は、全く外部から光が当たらない暗黒状態のもとでは、例えば、夜間等でスキャナユニットの筐体が圧板により塞がれた状態のもとでは、希ガス蛍光管に点灯指令信号を送ってから実際に希ガス蛍光管が発光するまでのいわゆる暗黒始動時間が大きくなり、筐体内部が暗黒状態に放置されればされるほど、暗黒始動時間が長くなるという特性を有している。
【０００４】
そこで、従来の画像読み取り装置では、スキャナユニットの筐体内部に補助光源（発光部品）を配し、この補助光源を画像読み取り装置の電源を用いて点灯させ、筐体内部が暗黒状態にならないように補助光源の光をあらかじめ希ガス蛍光管に照射し、暗黒始動時間が長くなるのを回避している。
【０００５】
しかしながら、この従来の画像読み取り装置では、ハードウエアとしての補助光源を駆動させるための駆動回路、駆動用の電源及び駆動用のソフトウエアを画像読み取り装置本体に新たに設ける必要があり、組み立て効率等の面から鑑みて芳しくないという問題がある。
【０００６】
そこで、補助光源を用いずに、画像読み取り装置の待機時に、ソフトウエアプログラムを用いて希ガス蛍光管を定期的に点灯させる構成のものが知られている（例えば、特許文献１参照。）
【特許文献１】特開２００２−９４７４５号公報
【発明の開示】
【発明が解決しようとする課題】
【０００７】
その特開２００２−９４７４５号公報に開示の画像読み取り装置によれば、部品点数を増加させることなく筐体内部が暗黒状態に長時間放置されるのを回避することができるという特徴があるが、画像読み取り開始時直前にはそれでも希ガス蛍光管に光が当てられないために、暗黒始動時間遅れ自体を取り除くことは難しい。
【０００８】
本発明は、上記の各事情に鑑みて為されたものである。
【０００９】
請求項１に記載の発明は、スキャナキャリッジを担持するスキャナユニットの筐体内部で自家発電させて補助光源の点灯・消灯を行わせることによりスキャナユニットの独立性を高め、組み立て効率の向上及び暗黒始動時間遅れを解消することのできる画像読み取り装置を提供することを目的とする。
【００１０】
請求項２に記載の発明は、補助光源の点灯に起因する画像品質の劣化を回避するためのソフトウエア制御を必要とすることなく、画像品質の劣化を回避することのできる画像読み取り装置を提供することを目的とする。
【００１１】
請求項３に記載の発明は、請求項２に記載の発明よりも少ない部品点数で同様の目的を達成することのできる画像読み取り装置を提供することを目的とする。
【００１２】
請求項４に記載の発明は、希ガス蛍光管の発光による画像読み取り開始前に発光部品を点灯させることにより効率良く画像読み取りを行うことができる画像読み取り装置を提供することを目的とする。
【００１３】
請求項５に記載の発明は、従来の筐体のサイズと同等のサイズで、希ガス蛍光管の発光による画像読み取り開始前に発光部品を点灯させることにより効率良く画像読み取りを行うことができる画像読み取り装置を提供することにある。
【課題を解決するための手段】
【００１４】
請求項１に記載の画像読み取り装置は、露光用の希ガス蛍光管を有するものにおいて、スキャナキャリッジの移動に連動して発電される発電モータと、該発電モータの発電電力によって点灯されかつ前記希ガス蛍光管に光を照射する発光部品とを備えていることを特徴とする。
【００１５】
請求項２に記載の画像読み取り装置は、前記発電モータと前記発光部品とを接続する接続回路の途中に、前記スキャナキャリッジの読み取り方向への移動中は前記発光部品への通電を阻止しかつ前記スキャナキャリッジの読み取り方向への移動に対して反対方向への移動中は前記発光部品への通電を許可するダイオードが設けられていることを特徴とする。
【００１６】
請求項３に記載の画像読み取り装置は、前記発光部品がＬＥＤであることを特徴とする。
【００１７】
請求項４に記載の画像読み取り装置は、前記スキャナキャリッジの待機位置を定めるホームポジションセンサを有し、該ホームポジションセンサを境にして前記希ガス蛍光管の発光開始位置が前記スキャナキャリッジの画像読み取り方向への移動側に存在し、前記発光部品が前記スキャナキャリッジの待機位置と発光開始位置との間に存在することを特徴とする。
【００１８】
請求項５に記載の画像読み取り装置は、前記スキャナキャリッジの待機位置を定めるホームポジションセンサを有し、該ホームポジションセンサを境にして前記希ガス蛍光管の発光開始位置が前記スキャナキャリッジの画像読み取り方向への移動側とは反対方向の側に存在し、前記発光部品が前記希ガス蛍光管の発光開始位置と前記スキャナキャリッジの待機位置との間に存在することを特徴とする。
【発明の効果】
【００１９】
請求項１に記載の発明によれば、スキャナキャリッジを担持するスキャナユニットの筐体内部で自家発電させて、補助光源（発光部品）の点灯・消灯を行わせることができるので、補助光源の点灯・消灯を筐体内部で完結させることができることになり、スキャナユニットの筐体の独立性を高め、組み立て効率の向上及び暗黒始動時間遅れを解消することができる。
【００２０】
請求項２に記載の発明によれば、補助光源（発光部品）の点灯による画像品質の劣化を回避するためのソフトウエア制御を必要とすることなく、画像品質劣化を回避することができる。
【００２１】
請求項３に記載の発明によれば、請求項２に記載の発明よりも少ない部品点数で請求項２と同様の目的を達成することができる。
【００２２】
請求項４に記載の発明によれば、希ガス蛍光管の発光による画像読み取り開始前に発光部品を点灯させることができるので、効率良く画像読み取りを行うことができる。
【００２３】
請求項５に記載の発明によれば、従来の筐体のサイズと同等のサイズで希ガス蛍光管の発光による画像読み取り開始前に発光部品を点灯させることができるので、効率良く画像読み取りを行うことができる。
【発明を実施するための最良の形態】
【００２４】
以下に、本発明に係わる発明の実施の形態について図面を参照しつつ説明する。
【実施例】
【００２５】
（実施例１）
図１は本発明の請求項１に係わるスキャナユニットの平面状態を示す模式図、図２は図１に示すスキャナユニットの側面を示す模式図である。
【００２６】
その図１、図２において、１はスキャナユニットである。このスキャナユニット１の筐体の内部には、スキャナキャリッジ２が設けられている。このスキャナキャリッジ２は駆動手段３によって、読み取り方向（矢印Ａ方向）及びその反対方向（矢印Ｂ方向）に可動される。
【００２７】
その駆動手段３は駆動モータ４と発電部品としての発電モータ５と駆動ベルト６とにより大略構成されている。駆動モータ４の出力軸４ａには駆動プーリ７が設けられ、発電モータ５の出力軸５ａには従動プーリ８が設けられている。駆動ベルト６は駆動プーリ７と従動プーリ８との間に掛け渡されている。スキャナキャリッジ２はその駆動ベルト６に取り付けられている。スキャナキャリッジ２は駆動ベルト６が矢印Ａ方向に回動すると読み取り方向に移動され、駆動ベルト６が矢印Ｂ方向に回動すると読み取り方向と反対方向（戻り方向）に移動される。
【００２８】
そのスキャナユニット１には、そのスキャナキャリッジ２の往復可動域にこのスキャナキャリッジ２の待機位置を定めるホームポジションセンサ９が設けられている。その発電モータ５には接続回路としての接続線１０を介して発光部品（補助光源）としての例えば電球１１が接続されている。
【００２９】
スキャナキャリッジ２には露光用の希ガス蛍光管１２が担持されている。電球１１はスキャナキャリッジ２がホームポジション（待機位置）にあるときに希ガス蛍光管１２に臨まされている。
【００３０】
この実施例１の構成によれば、図示を略す操作ボタンを操作すると、駆動モータ４が駆動される。これにより、駆動ベルト６が矢印Ａ方向に回動され、スキャナキャリッジ２が読み取り方向に可動される。と同時に、発電モータ５が発電を開始し、接続線１０を介して電球１１に向けて通電が開始され、電球１１が発光される。この電球１１の発光により、希ガス蛍光管１２に光が当てられ、希ガス蛍光管１２の暗黒始動時間の遅れが改善される。
【００３１】
そして、希ガス蛍光管１２の発光により、スキャナユニット１の内部に設けられたＣＣＤ（図示を略す）に画像が結像され、これにより、例えば、原稿画像の画像読み取りが行われる。その原稿画像の読み取り終了後、駆動モータ４が逆転駆動され、スキャナキャリッジ２が戻り方向に可動され、ホームポジションセンサ９によりスキャナキャリッジ２が検出されると、駆動モータ４の駆動が停止される。
【００３２】
なお、この実施例１の構成によれば、スキャナキャリッジ２の駆動中は、常時電球１１は発光状態にある。
（実施例２）
図３は本発明の請求項２に係わるスキャナユニットの平面状態を示す模式図であり、この実施例２では、発電モータ５と電球１１とを接続する接続線１０の途中に、スキャナキャリッジ２の読み取り方向（矢印Ａ方向）への移動中は電球１１への通電を阻止しかつスキャナキャリッジ２の読み取り方向への移動に対して反対方向（矢印Ｂ方向）への移動中は電球１１への通電を許可するダイオード１３を設ける構成としたものであり、その他の構成は実施例１と大略同一であるので、その詳細な説明は省略する。
【００３３】
この実施例２の構成によれば、スキャナキャリッジ２がそのホームポジション（待機位置）から読み取り方向に移動を開始したとしても、その移動中は電球１１が発光せず、画像読み取り終了後、スキャナキャリッジ２がホームポジションに戻る際に、電球１１が発光するため、電球１１の発光による読み取り画像の劣化を防止できる。
（実施例３）
図４は本発明の請求項３に係わるスキャナユニットの平面状態を示す模式図であり、この実施例３では、発光部品としてＬＥＤ１４を用いる構成としたものであり、その他の構成は実施例１と大略同一であるので、その詳細な説明は省略する。
【００３４】
この実施例３によれば、接続線１０の途中に、スキャナキャリッジ２の読み取り方向（矢印Ａ方向）への移動中は発光部品への通電を阻止しかつスキャナキャリッジ２の読み取り方向への移動に対して反対方向（矢印Ｂ方向）への移動中は発光部品への通電を許可するダイオード１３を設けなくとも、スキャナキャリッジ２の読み取り方向への移動中に発光を禁止し、スキャナキャリッジ２の読み取り方向への移動に対して反対方向への移動中にその禁止を解除して発光させることができるので、部品点数の増加を伴うことなく発光部品の発光に基づく画像劣化を防止できる。
（実施例４）
図５は本発明の請求項４に係わるスキャナユニットの平面状態を示す模式図であり、この実施例４では、スキャナユニット１の大きさ（サイズ）をスキャナキャリッジ２の往復可動方向に拡大し、ホームポジションセンサ９をそれに伴って左方に移動させ、希ガス蛍光管１２の発光開始位置Ｑとホームポジションの間に電球１１を設ける構成とし、スキャナキャリッジ２が発光開始位置Ｑに達したときに、希ガス蛍光管１２を発光させて画像の読み取りを行わせる構成としたものである。
【００３５】
この場合に、スキャナキャリッジ２がホームポジションから点灯開始位置Ｑに達したか否かは、駆動モータ４の回転数に基づき判断する。例えば、駆動モータ４がステッピングモータの場合には、パルス数により管理する。
【００３６】
この実施例４によれば、スキャナキャリッジ２の待機位置を定めるホームポジションセンサ９を境にして希ガス蛍光管１２の発光開始位置Ｑがスキャナキャリッジ２の読み取り方向への移動側に存在し、電球１１がスキャナキャリッジ２の待機位置と発光開始位置Ｑとの間に存在するので、希ガス蛍光管１２の発光による画像読み取り開始前に発光部品（補助光源）である電球１１を点灯させることができるので、効率良く画像読み取りを行うことができる。
（実施例５）
図６は本発明の請求項５に係わるスキャナユニット２の平面状態を示す模式図であり、この実施例５では、ホームポジションセンサ９をスキャナキャリッジ２の往復可動方向であってかつスキャナユニット１の略中央に配置し、点灯開始位置Ｑをスキャナユニット１の左端に配置し、電球１１を点灯開始位置Ｑとスキャナユニット１との間に配置する構成としたものである。この場合に、スキャナキャリッジ２がホームポジションから点灯開始位置Ｑに達したか否かは、実施例４と同様に駆動モータ４の回転数に基づき判断する。その他の構成は実施例２の構成と大略同一である。
【００３７】
この実施例５によれば、操作ボタンを操作すると、駆動モータ４が駆動され、駆動ベルト６が駆動されてスキャナキャリッジ２が矢印Ｂ方向に移動される。と同時に、電球１１に電力が供給されて、電球１１が発光され、希ガス蛍光管１２に光が当てられ、希ガス蛍光管１２の暗黒始動特性が早められる。ついで、スキャナキャリッジ２が発光開始位置Ｑに達すると、駆動モータ４が逆転駆動され、スキャナキャリッジ２が矢印Ａ方向に駆動され、画像読み取りが行われる。その際、接続線１０の途中に図３と同様のダイオード１３が設けられているので、画像読み取り方向へのスキャナキャリッジ２の移動中、電球１１の発光が禁止され、電球１１の発光に起因する画像品質の劣化が防止される。
【００３８】
ついで、画像読み取りが終了すると、駆動モータ４が逆転駆動され、スキャナキャリッジ２が矢印Ｂ方向に可動され、ホームポジションに向かって移動される。
【００３９】
この実施例５では、スキャナキャリッジ２の待機位置を定めるホームポジションセンサ９を境にして希ガス蛍光管１２の発光開始位置Ｑがスキャナキャリッジ２の読み取り方向への移動側とは反対方向の側に存在するので、従来のスキャナユニット１の筐体のサイズとほぼ同等のサイズで、希ガス蛍光管１２の発光による画像読み取り開始前に電球１１を点灯させることができることになり、効率良く画像読み取りを行うことができる。
【図面の簡単な説明】
【００４０】
【図１】本発明の実施例１に係わるスキャナユニットの平面状態を示す模式図である。
【図２】図１に示すスキャナユニットの側面を示す模式図である。
【図３】本発明の実施例２に係わるスキャナユニットの平面状態を示す模式図である。
【図４】本発明の実施例３に係わるスキャナユニットの平面状態を示す模式図である。
【図５】本発明の実施例４に係わるスキャナユニットの平面状態を示す模式図である。
【図６】本発明の実施例５に係わるスキャナユニットの平面状態を示す模式図である。
【符号の説明】
【００４１】
２…スキャナキャリッジ
５…発電モータ
１１…発光部品
１２…希ガス蛍光管
【図１】
2006220781.tif 000003
【図２】
2006220781.tif 000004
【図３】
2006220781.tif 000005
【図４】
2006220781.tif 000006
【図５】
2006220781.tif 000007
【図６】
2006220781.tif 000008